(57)【特許請求の範囲】
【請求項１】
WLANのアクセスポイントにおける装置であって、
前記WLANの時間ドメインは、コンテンションウィンドウと、スケジューリングウィンドウとを含み、前記アクセスポイントは、前記コンテンションウィンドウにおいてチャネルを使用する権利を取得し、前記アクセスポイントと局との間の通信が前記アクセスポイントによってスケジューリングされる時間長である前記スケジューリングウィンドウに入り、前記装置は、
前記スケジューリングウィンドウ内でダウンリンク（DL）部分を局に送信するように構成される送信モジュールであって、前記DL部分は、IEEE802.11acに対応するプリアンブル部分すなわち第１のレガシープリアンブルと、次世代IEEE802.11acにおいて用いられるプリアンブル部分すなわち第１のHEWプリアンブルと、DL  MU（multi-user，マルチユーザ）部分とを含み、前記DL部分はアップリンク（UL）部分の伝送をトリガするのに用いられ、前記第１のレガシープリアンブルと前記第１のHEWプリアンブルの両方は直交周波数分割多重（OFDM）方式で送信され、前記DL  MU部分は直交周波数分割多元接続（OFDMA）方式で送信される、送信モジュールと、
前記スケジューリングウィンドウ内で、トリガされた前記UL部分を受信するように構成される受信モジュールであって、前記UL部分は、第２のレガシープリアンブル、第２のHEWプリアンブル及びUL  MU部分を含む、受信モジュールと、
を備え、
前記第１のレガシープリアンブル又は前記第２のレガシープリアンブルは、レガシー・ショート・トレーニングフィールド（L-STF）、レガシー・ロング・トレーニングフィールド（L-LTF）及びレガシー・シグナリングフィールド（L-SIG）を含み、前記第１のHEWプリアンブル又は前記第２のHEWプリアンブルは、HE-SIG、HEWショート・トレーニング・シーケンス（STF）又はHEWロング・トレーニング・シーケンス（LTF）を少なくとも含む、装置。
【請求項２】
前記送信モジュールは、前記スケジューリングウィンドウ内で複数のDL部分を送信するように構成され、
前記受信モジュールは、前記スケジューリングウィンドウ内で複数のUL部分を受信するように構成される、
請求項１に記載の装置。
【請求項３】
前記UL部分と前記DL部分は変換され、
変換後の前記DL部分は、レガシープリアンブル、HEWプリアンブル及びDL  MU部分を含み、
変換後に位置する前記UL部分は、レガシープリアンブル、HEWプリアンブル及びUL  MU部分を含む、
請求項２に記載の装置。
【請求項４】
他の位置の前記UL部分又は他の位置の前記DL部分は、次世代IEEE802.11acに対応するトレーニング・シーケンスを含み、レガシープリアンブルと、前記次世代IEEE802.11acに対応するトレーニング・シーケンスを除くHEWプリアンブルの他の部分とを含まない、
請求項３に記載の装置。
【請求項５】
WLANの局における装置であって、
前記WLANの時間ドメインは、コンテンションウィンドウと、スケジューリングウィンドウとを含み、前記WLANのアクセスポイントは、前記コンテンションウィンドウにおいてチャネルを使用する権利を取得し、前記アクセスポイントと前記局との間の通信が前記アクセスポイントによってスケジューリングされる時間長である前記スケジューリングウィンドウに入り、前記装置は、
前記スケジューリングウィンドウ内でダウンリンク（DL）部分を受信するように構成される受信モジュールであって、前記DL部分は、IEEE802.11acに対応するプリアンブル部分すなわち第１のレガシープリアンブルと、次世代IEEE802.11acにおいて用いられるプリアンブル部分すなわち第１のHEWプリアンブルと、DL  MU（multi-user，マルチユーザ）部分とを含み、前記DL部分はアップリンク（UL）部分の伝送をトリガするのに用いられ、前記第１のレガシープリアンブルと前記第１のHEWプリアンブルの両方は直交周波数分割多重（OFDM）方式で送信され、前記DL  MU部分は直交周波数分割多元接続（OFDMA）方式で送信される、受信モジュールと、
前記スケジューリングウィンドウ内で、トリガされた前記UL部分を送信するように構成される送信モジュールであって、前記UL部分は、第２のレガシープリアンブル、第２のHEWプリアンブル及びUL  MU部分を含む、送信モジュールと、
を備え、
前記第１のレガシープリアンブル又は前記第２のレガシープリアンブルは、レガシー・ショート・トレーニングフィールド（L-STF）、レガシー・ロング・トレーニングフィールド（L-LTF）及びレガシー・シグナリングフィールド（L-SIG）を含み、前記第１のHEWプリアンブル又は前記第２のHEWプリアンブルは、HE-SIG、HEWショート・トレーニング・シーケンス（STF）又はHEWロング・トレーニング・シーケンス（LTF）を少なくとも含む、装置。
【請求項６】
前記受信モジュールは、前記スケジューリングウィンドウ内で複数のDL部分を受信するように構成され、
前記送信モジュールは、前記スケジューリングウィンドウ内で複数のUL部分を送信するように構成される、
請求項５に記載の装置。
【請求項７】
前記UL部分と前記DL部分は変換され、
変換後の前記DL部分は、レガシープリアンブル、HEWプリアンブル及びDL  MU部分を含み、
変換後に位置する前記UL部分は、レガシープリアンブル、HEWプリアンブル及びUL  MU部分を含む、
請求項６に記載の装置。
【請求項８】
他の位置の前記UL部分又は他の位置の前記DL部分は、次世代IEEE802.11acに対応するトレーニング・シーケンスを含み、レガシープリアンブルと、前記次世代IEEE802.11acに対応するトレーニング・シーケンスを除くHEWプリアンブルの他の部分とを含まない、
請求項７に記載の装置。
【請求項９】
WLANのアクセスポイントにおいて無線ローカルエリアネットワークデータを伝送するための方法であって、
前記WLANの時間ドメインは、コンテンションウィンドウと、スケジューリングウィンドウとを含み、前記アクセスポイントは、前記コンテンションウィンドウにおいてチャネルを使用する権利を取得し、前記アクセスポイントと局との間の通信が前記アクセスポイントによってスケジューリングされる時間長である前記スケジューリングウィンドウに入り、前記方法は、
前記スケジューリングウィンドウ内でダウンリンク（DL）部分を局に送信するステップであって、前記DL部分は、IEEE802.11acに対応するプリアンブル部分すなわち第１のレガシープリアンブルと、次世代IEEE802.11acにおいて用いられるプリアンブル部分すなわち第１のHEWプリアンブルと、DL  MU（multi-user，マルチユーザ）部分とを含み、前記DL部分はアップリンク（UL）部分の伝送をトリガするのに用いられ、前記第１のレガシープリアンブルと前記第１のHEWプリアンブルの両方は直交周波数分割多重（OFDM）方式で送信され、前記DL  MU部分は直交周波数分割多元接続（OFDMA）方式で送信される、ステップと、
前記スケジューリングウィンドウ内で、トリガされた前記UL部分を受信するステップであって、前記UL部分は、第２のレガシープリアンブル、第２のHEWプリアンブル及びUL  MU部分を含む、ステップと、
を含み、
前記第１のレガシープリアンブル又は前記第２のレガシープリアンブルは、レガシー・ショート・トレーニングフィールド（L-STF）、レガシー・ロング・トレーニングフィールド（L-LTF）及びレガシー・シグナリングフィールド（L-SIG）を含み、前記第１のHEWプリアンブル又は前記第２のHEWプリアンブルは、HE-SIG、HEWショート・トレーニング・シーケンス（STF）又はHEWロング・トレーニング・シーケンス（LTF）を少なくとも含む、方法。
【請求項１０】
前記送信ステップは、前記スケジューリングウィンドウ内で複数のDL部分を送信するステップを含み、
前記受信ステップは、前記スケジューリングウィンドウ内で複数のUL部分を受信するステップを含む、
請求項９に記載の方法。
【請求項１１】
前記UL部分と前記DL部分は変換され、
変換後の前記DL部分は、レガシープリアンブル、HEWプリアンブル及びDL  MU部分を含み、
変換後に位置する前記UL部分は、レガシープリアンブル、HEWプリアンブル及びUL  MU部分を含む、
請求項１０に記載の方法。
【請求項１２】
他の位置の前記UL部分又は他の位置の前記DL部分は、次世代IEEE802.11acに対応するトレーニング・シーケンスを含み、レガシープリアンブルと、前記次世代IEEE802.11acに対応するトレーニング・シーケンスを除くHEWプリアンブルの他の部分とを含まない、
請求項１０に記載の方法。
【請求項１３】
WLANの局において無線ローカルエリアネットワークデータを伝送するための方法であって、
前記WLANの時間ドメインは、コンテンションウィンドウと、スケジューリングウィンドウとを含み、前記WLANのアクセスポイントは、前記コンテンションウィンドウにおいてチャネルを使用する権利を取得し、前記アクセスポイントと前記局との間の通信が前記アクセスポイントによってスケジューリングされる時間長である前記スケジューリングウィンドウに入り、前記方法は、
前記スケジューリングウィンドウ内でダウンリンク（DL）部分を受信するステップであって、前記DL部分は、IEEE802.11acに対応するプリアンブル部分すなわち第１のレガシープリアンブルと、次世代IEEE802.11acにおいて用いられるプリアンブル部分すなわち第１のHEWプリアンブルと、DL  MU（multi-user，マルチユーザ）部分とを含み、前記DL部分はアップリンク（UL）部分の伝送をトリガするのに用いられ、前記第１のレガシープリアンブルと前記第１のHEWプリアンブルの両方は直交周波数分割多重（OFDM）方式で送信され、前記DL  MU部分は直交周波数分割多元接続（OFDMA）方式で送信される、ステップと、
前記スケジューリングウィンドウ内で、トリガされた前記UL部分を送信するステップであって、前記UL部分は、第２のレガシープリアンブル、第２のHEWプリアンブル及びUL  MU部分を含む、ステップと、
を含み、
前記第１のレガシープリアンブル又は前記第２のレガシープリアンブルは、レガシー・ショート・トレーニングフィールド（L-STF）、レガシー・ロング・トレーニングフィールド（L-LTF）及びレガシー・シグナリングフィールド（L-SIG）を含み、前記第１のHEWプリアンブル又は前記第２のHEWプリアンブルは、HE-SIG、HEWショート・トレーニング・シーケンス（STF）又はHEWロング・トレーニング・シーケンス（LTF）を少なくとも含む、方法。
【請求項１４】
前記受信ステップは、前記スケジューリングウィンドウ内で複数のDL部分を受信するステップを含み、
前記送信ステップは、前記スケジューリングウィンドウ内で複数のUL部分を送信するステップを含む、
請求項１３に記載の方法。
【請求項１５】
前記UL部分と前記DL部分は変換され、
変換後の前記DL部分は、レガシープリアンブル、HEWプリアンブル及びDL  MU部分を含み、
変換後に位置する前記UL部分は、レガシープリアンブル、HEWプリアンブル及びUL  MU部分を含む、
請求項１４に記載の方法。
【請求項１６】
他の位置の前記UL部分又は他の位置の前記DL部分は、次世代IEEE802.11acに対応するトレーニング・シーケンスを含み、レガシープリアンブルと、前記次世代IEEE802.11acに対応するトレーニング・シーケンスを除くHEWプリアンブルの他の部分とを含まない、
請求項１４に記載の方法。
【発明の詳細な説明】
【技術分野】
【０００１】
本発明は通信分野に関し、特に、無線ローカルエリアネットワークデータを伝送するための方法及び装置に関する。
【背景技術】
【０００２】
通信技術の急速な発展に伴い、IEEE802.11規格に基づくＷＬＡＮ（Wireless  Local  Area  Network，無線ローカルエリアネットワーク）技術が大幅に発達し、広く適用されている。ＷＬＡＮネットワークは、複数のAP（Access  Point，アクセスポイント）と複数のＳＴＡ（Station，基地局）を含むことができる。各APは複数のSTAと関連付けられてよく、各APは、無線チャネルを用いて、APに関連するSTAと無線ローカルエリアネットワークデータを伝送することができる。
【０００３】
無線ローカルエリアネットワークのデータを伝送するための現在の方法は、具体的には以下のとおりである。すなわち、APが該APに関連するSTAに無線ローカルエリアネットワークデータを送信するとき、APは無線チャネルをリッスンし、無線チャネルがある期間に占有されていないとき、ＡＰは、無線チャネルにアクセスし、無線チャネルの使用権を取得する。ＡＰは、送信する必要がある無線ローカルエリアネットワークデータをPPDU（PLCP  protocol  data  unit，PLCPプロトコルデータユニット）にカプセル化し、PPDUをSTAに送信する。APに関連するSTAが無線ローカルエリアネットワークデータをAPに送信するとき、STAは無線チャネルをリッスンし、無線チャネルがある期間に占有されていないとき、ＳＴＡは、無線チャネルにアクセスし、無線チャネルの使用権を取得する。ＳＴＡは、送信する必要がある無線ローカルエリアネットワークデータをPPDUにカプセル化し、PPDUをAPに送信する。
【０００４】
図１及び図２に示されるように、図１の１行目は従来のPPDUフォーマットを示し、図１の２行目と３行目は802.11nのPPDUフレーム形式を示す。図２は、802.11acのPPDUフレーム形式を示す。ＳＴＡは、図１又は図２のフレーム形式を用いて、無線ローカルエリアネットワークデータをPPDUにカプセル化し、PPDUをAPに送信することができる。当然ながら、ＡＰは、図１又は図２のPPDUフレーム形式を用いて、無線ローカルエリアネットワークデータをPPDUにカプセル化し、PPDUをSTAに送信することもできる。L-STF、HT-STF及びHT-GF-STFはショート・トレーニング・フィールドであり、L-LTF、HT-LTF1、HT-LTF及びVHT-LTFはロング・トレーニング・フィールドであり、L-SIG、HT-SIG、VHT-SIG-A及びVHT-SIG-Bはシグナリングフィールドであり、Dataはデータフィールドである。
【０００５】
本発明を実現する際に、本発明者らは、従来技術に少なくとも次のような問題があることを見出した。
【０００６】
ＷＬＡＮネットワークは無制限の無認可周波数帯を使用し、競合に基づくアクセス機構を用いて無線チャネルの使用権を取得し、また、STA／APが無線チャネルの使用権を取得するときに無線ローカルエリアネットワークデータは１対１の関係にあるAPとSTAとの間で送信されるので、無線ローカルエリアネットワークデータは、１対多の関係にあるSTAとAPとの間でも、多対１の関係にあるAPとSTAとの間でも伝送することができない。これにより、スペクトル利用率とネットワークの使用効率が低下してしまう。
【発明の概要】
【０００７】
スペクトル利用率とネットワークの使用効率を改善するために、本発明の実施形態は、無線ローカルエリアネットワークデータを伝送するための方法及び装置を提供する。技術的解決策は以下のとおりである。
【０００８】
第１の態様によれば、無線ローカルエリアネットワークデータを伝送するための装置が提供される。本装置は、
スケジューリングウィンドウ内で無線フレームを構築するように構成される構築モジュールであって、無線フレームは少なくとも、現存のIEEE802.11に対応するプリアンブル部分（レガシープリアンブル）と、次世代IEEE802.11規格で用いられるプリアンブル部分（HEWプリアンブル）と、第１のダウンリンクサブフレーム（DLサブフレーム）とを含む、構築モジュールと、
無線フレームのレガシープリアンブル、HEWプリアンブル及び第１のDLサブフレームを送信するように構成される送信モジュールと、
第１のDLサブフレームの後に位置する少なくとも１つのアップリンクサブフレーム（ULサブフレーム）を受信するように構成される受信モジュールであって、少なくとも１つのULサブフレームの各々は、ULサブフレームの前に位置する１つのDLサブフレームによってトリガされる、受信モジュールと、
を備える。
【０００９】
第２の態様によれば、無線ローカルエリアネットワークデータを伝送するための装置が提供される。本装置は、
スケジューリングウィンドウ内で無線フレームを受信するように構成される受信モジュールであって、無線フレームは少なくとも、現存のIEEE802.11に対応するプリアンブル部分（レガシープリアンブル）と、次世代IEEE802.11規格で用いられるプリアンブル部分（HEWプリアンブル）と、第１のダウンリンクサブフレーム（DLサブフレーム）とを含む、受信モジュールと、
第１のDLサブフレームの後に位置する少なくとも１つのアップリンクサブフレーム（ULサブフレーム）を送信するように構成される送信モジュールであって、少なくとも１つのULサブフレームの各々は、ULサブフレームの前に位置する１つのDLサブフレームによってトリガされる、送信モジュールと、
を備える。
【００１０】
第３の態様によれば、無線ローカルエリアネットワークデータを伝送する方法が提供される。本方法は、
スケジューリングウィンドウ内で無線フレームを構築するステップであって、無線フレームは少なくとも、現存のIEEE802.11に対応するプリアンブル部分（レガシープリアンブル）と、次世代IEEE802.11規格で用いられるプリアンブル部分（HEWプリアンブル）と、第１のダウンリンクサブフレーム（DLサブフレーム）とを含む、ステップと、
無線フレームのレガシープリアンブル、HEWプリアンブル及び第１のDLサブフレームを送信するステップと、
第１のDLサブフレームの後に位置する少なくとも１つのアップリンクサブフレーム（ULサブフレーム）を受信するステップであって、少なくとも１つのULサブフレームの各々は、ULサブフレームの前に位置する１つのDLサブフレームによってトリガされる、ステップと、
を含む。
【００１１】
第４の態様によれば、無線ローカルエリアネットワークデータを伝送する方法が提供される。本方法は、
スケジューリングウィンドウ内で無線フレームを受信するステップであって、無線フレームは少なくとも、現存のIEEE802.11に対応するプリアンブル部分（レガシープリアンブル）と、次世代IEEE802.11規格で用いられるプリアンブル部分（HEWプリアンブル）と、第１のダウンリンクサブフレーム（DLサブフレーム）とを含む、ステップと、
第１のDLサブフレームの後に位置する少なくとも１つのアップリンクサブフレーム（ULサブフレーム）を送信するステップであって、少なくとも１つのULサブフレームの各々は、ULサブフレームの前に位置する１つのDLサブフレームによってトリガされる、ステップと、
を含む。
【００１２】
本発明の実施形態では、無線チャネル使用権が取得されたときに、APは無線フレームを構築し、無線フレームのダウンリンクデータ領域において、無線ローカルエリアネットワークデータを該APに関連するSTAに送信することができる。このように、APは無線ローカルエリアネットワークデータをAPに関連するSTAに送信することができ、スペクトル利用率及びネットワークの使用効率が改善される。
【図面の簡単な説明】
【００１３】
本発明の実施形態における技術的な解決策をより明確に説明するために、以下、実施形態を説明するために必要な添付図面を簡単に紹介する。当然ながら、添付図面は以下の説明において本発明の一部の実施形態を示すものに過ぎない。当業者であれば、これらの添付図面から創意工夫なく他の図面を更に導出できるであろう。
【図１】従来技術において提供されるPPDUフレーム形式の概略図である。
【図２】従来技術において提供される別のPPDUフレーム形式の概略図である。
【図３】本発明の実施形態１に係る、無線ローカルエリアネットワークデータを伝送するための装置の概略構造図である。
【図４】本発明の実施形態２に係る、無線ローカルエリアネットワークデータを伝送するための装置の概略構造図である。
【図５】本発明の実施形態３に係る、無線ローカルエリアネットワークデータを伝送する方法のフローチャートである。
【図６】本発明の実施形態４に係る、無線ローカルエリアネットワークデータを伝送する方法のフローチャートである。
【図７】本発明の実施形態５に係る、無線ローカルエリアネットワークデータを伝送する方法のフローチャートである。
【図８】本発明の実施形態５に係る無線フレームのフレーム形式の概略図である。
【図８ａ】本発明の実施形態に係る無線フレームのフレーム形式の概略図である。
【図８ｂ】本発明の実施形態に係る無線フレームのフレーム形式の概略図である
【図８ｃ】本発明の実施形態に係る無線フレームのフレーム形式の概略図である。
【図９】本発明の実施形態５に係る、無線フレームのプリアンブル部分の概略図である。
【図１０】本発明の実施形態６に係る、無線ローカルエリアネットワークデータを伝送するための装置の概略構造図である。
【図１１】本発明の実施形態７に係る、無線ローカルエリアネットワークデータを伝送するための装置の概略構造図である。
【図１２】本発明の実施形態に係る無線フレームのフレーム形式の概略図である。
【発明を実施するための形態】
【００１４】
本発明の目的、技術的解決策及び利点をより明確にするために、以下、添付図面を参照して本発明の実施形態を更に詳述する。
【００１５】
従来技術の課題を考慮して、本発明の実施形態では、無線チャネル使用権が取得されたときに、APが無線フレームを構築する。無線フレームは、プリアンブル部分、制御領域及びデータ領域を含む。データ領域は少なくとも１つのダウンリンクデータ領域を含んでよく、ダウンリンクデータ領域は複数の無線リソースブロックを含み、APに関連する各STAは、対応する無線リソースブロックを有する。ＡＰは、ダウンリンクデータ領域内の各STAに対応する無線リソースブロック上で、無線ローカルエリアネットワークデータを該APに関連するSTAに送信することができ、スペクトル利用率及びネットワークの使用効率が改善される。
【００１６】
複数の実施形態を参照して、以下、次世代ＷＬＡＮを例として、本発明の解決策及び効果をより詳細に説明する。以下の実施形態では、APに関連するSTAの数は、１つであってもよいし、複数であってもよい。
【００１７】
実施形態１
図３は、本発明の実施形態に係る、無線ローカルエリアネットワークデータを伝送するための装置である。図３を参照すると、本装置は、
無線チャネル使用権が取得されたときに無線フレームを構築するように構成される構築モジュール３０１であって、無線フレームは少なくともプリアンブル部分、制御領域及びデータ領域を含み、データ領域は少なくとも１つのダウンリンクデータ領域を含む、構築モジュール３０１と、
プリアンブル部分及び制御領域を、アクセスポイント（AP）に関連する基地局（STA）に送信するように構成される第１の送信モジュール３０２と、
無線フレームのダウンリンクデータ領域において、無線ローカルエリアネットワークデータをAPに関連するSTAに送信するように構成される第２の送信モジュール３０３と、
を備える。
【００１８】
プリアンブル部分と制御領域の両方は、現存の電気電子技術者協会（IEEE）802.11規格に対応する直交周波数分割多重（OFDM）方式で送信され、データ領域は、直交周波数分割多元接続（OFDMA）方式で送信される。
【００１９】
プリアンブル部分は、現存のIEEE802.11に対応するプリアンブル部分である。プリアンブル部分は、レガシー・ショート・トレーニングフィールド（L-STF）、レガシー・ロング・トレーニングフィールド（L-LTF）及びレガシー・シグナリングフィールド（L-SIG）を含む。L-STFは、APに関連するSTAをAPと同期させるのに用いられ、L-LTFは、APに関連するSTAがチャネル推定を実行して、コヒーレント受信により、無線フレームの持続時間に関しL-SIGで搬送される情報を取得できるようにするのに用いられる。
【００２０】
更に、L-SIG領域内の長さ（LENGTH）データ領域は、無線フレームの持続時間に関する値を搬送し、値に対応する無線フレームの持続時間は、無線フレームの実際の持続時間以上である。
【００２１】
任意に、本装置は更に、
APに関連しないSTA及び別のAPが無線フレームのプリアンブル部分を受信し、且つ、予約期間内にAPに関連しないSTA及び別のAPが無線チャネルを用いて無線ローカルエリアネットワークデータを送信しないように、無線フレームのプリアンブル部分の送信電力を増加させるように構成される増加モジュールであって、予約期間は、APが無線チャネル使用権を所有する期間である、増加モジュール、
を備える。
【００２２】
更に、制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【００２３】
アップリンク／ダウンリンクデータ領域の構成情報は、アップリンクデータ領域の数と、ダウンリンクデータ領域の数と、アップリンクデータ領域とダウンリンクデータ領域との変換情報とを含む。
【００２４】
任意に、データ領域によって用いられるOFDMA変調パラメータは、システムのチャネル帯域幅と、採用されるサイクリックプレフィックス（CP）長さと、高速フーリエ変換（FFT）のオーダーと、利用可能なサブキャリアの数とを含む。
【００２５】
APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【００２６】
第１の無線リソース指示は、第１の無線リソース指示によって指示される無線リソースブロックのサイズ及び位置と、無線リソースブロック上で用いられる変調符号化方式及び／又は多入力多出力（MIMO）伝送方式とを含む。
【００２７】
更に、本装置は更に、
データ領域がアップリンクデータ領域を含むとき、データ領域に含まれるアップリンクデータ領域において、制御領域に従って、APに関連するSTAによって送信された無線ローカルエリアネットワークデータを受信するように構成される第１の受信モジュール、
を備える。
【００２８】
本発明の本実施形態では、無線チャネル使用権が取得されたときに、APは無線フレームを構築することができる。無線フレームのデータ領域は少なくとも１つのダウンリンクデータ領域を含んでよく、ダウンリンクデータ領域は複数の無線リソースブロックを含み、各STAは対応する無線リソースブロックを有する。ＡＰは、ダウンリンクデータ領域内のSTAに対応する無線リソースブロック上で、無線ローカルエリアネットワークデータを該APに関連するSTAに送信することができる。無線フレームのデータ領域がアップリンクデータ領域を含むとき、アップリンクデータ領域も複数の無線リソースブロックを含み、各STAは対応する無線リソースブロックを有する。APに関連するSTAは、STAに対応する無線リソースブロック上で、無線ローカルエリアネットワークデータをAPに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【００２９】
実施形態２
図４は、本発明の実施形態に係る、無線ローカルエリアネットワークデータを伝送するための装置である。図４を参照すると、本装置は、
STAに関連するアクセスポイント（AP）によって送信される無線フレームのプリアンブル部分及び制御領域を受信するように構成される第２の受信モジュール４０１と、
無線フレームのデータ領域に含まれるダウンリンクデータ領域において、プリアンブル部分及び制御領域に従って、STAに関連するAPによって送信される無線ローカルエリアネットワークデータを受信するように構成される第３の受信モジュール４０２であって、データ領域は少なくとも１つのダウンリンクデータ領域を含む、第３の受信モジュール４０２と、
を備える。
【００３０】
プリアンブル部分は、現存の電気電子技術者協会（IEEE）802.11に対応するプリアンブル部分である。プリアンブル部分は、レガシー・ショート・トレーニングフィールド（L-STF）、レガシー・ロング・トレーニングフィールド（L-LTF）及びレガシー・シグナリングフィールド（L-SIG）を含む。
これに応じて、本装置は更に、
L-STFに従って、STAに関連するAPとの同期を実行するように構成される同期モジュールと、
L-LTFに従ってチャネル推定を実行するように構成されるチャネル推定モジュールと、
コヒーレント受信により、無線フレームの持続時間に関しL-SIGで搬送される情報を取得するように構成される取得モジュールと、
を備える。
【００３１】
更に、L-SIG領域内の長さ（LENGTH）データ領域は、無線フレームの持続時間に関する値を搬送し、値に対応する無線フレームの持続時間は、無線フレームの実際の持続時間以上である。
【００３２】
制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【００３３】
アップリンク／ダウンリンクデータ領域の構成情報は、アップリンクデータ領域の数と、ダウンリンクデータ領域の数と、アップリンクデータ領域とダウンリンクデータ領域との変換情報とを含む。
【００３４】
任意に、データ領域によって用いられるOFDMA変調パラメータは、システムのチャネル帯域幅と、採用されるサイクリックプレフィックス（CP）長さと、高速フーリエ変換（FFT）のオーダーと、利用可能なサブキャリアの数とを含む。
【００３５】
APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【００３６】
第１の無線リソース指示は、第１の無線リソース指示によって指示される無線リソースブロックのサイズ及び位置と、無線リソースブロック上で用いられる変調符号化方式及び／又は多入力多出力（MIMO）伝送方式とを含む。
【００３７】
更に、本装置は更に、
データ領域がアップリンクデータ領域を含むとき、データ領域に含まれるアップリンクデータ領域において、制御領域に従って、無線ローカルエリアネットワークデータをSTAに関連するAPに送信するように構成される第３の送信モジュール、
を備える。
【００３８】
本発明の本実施形態では、無線チャネル使用権が取得されたときに、APは無線フレームを構築することができる。無線フレームのデータ領域は少なくとも１つのダウンリンクデータ領域を含んでよく、ダウンリンクデータ領域は複数の無線リソースブロックを含み、各STAは対応する無線リソースブロックを有する。ＡＰは、ダウンリンクデータ領域内のSTAに対応する無線リソースブロック上で、無線ローカルエリアネットワークデータを該APに関連するSTAに送信することができる。無線フレームのデータ領域がアップリンクデータ領域を含むとき、アップリンクデータ領域も複数の無線リソースブロックを含み、各STAは対応する無線リソースブロックを有する。APに関連するSTAは、STAに対応する無線リソースブロック上で、無線ローカルエリアネットワークデータをAPに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【００３９】
実施形態３
図５は、本発明の実施形態に係る、無線ローカルエリアネットワークデータを伝送する方法である。図５を参照すると、本方法は以下を含む。
【００４０】
ステップ５０１：無線チャネル使用権が取得されたときに、アクセスポイント（AP）が無線フレームを構築する。無線フレームは少なくともプリアンブル部分、制御領域及びデータ領域を含み、データ領域は少なくとも１つのダウンリンクデータ領域を含む。
【００４１】
ステップ５０２：ＡＰが、プリアンブル部分及び制御領域をAPに関連する基地局（STA）に送信する。
【００４２】
ステップ５０３：ＡＰが、無線フレームのダウンリンクデータ領域において、無線ローカルエリアネットワークデータをAPに関連するSTAに送信する。
【００４３】
プリアンブル部分と制御領域の両方は、現存の電気電子技術者協会（IEEE）802.11規格に対応する直交周波数分割多重（OFDM）方式で送信され、データ領域は、直交周波数分割多元接続（OFDMA）方式で送信される。
【００４４】
プリアンブル部分は、現存のIEEE802.11に対応するプリアンブル部分である。プリアンブル部分は、レガシー・ショート・トレーニングフィールド（L-STF）、レガシー・ロング・トレーニングフィールド（L-LTF）及びレガシー・シグナリングフィールド（L-SIG）を含む。L-STFは、APに関連するSTAをAPと同期させるのに用いられ、L-LTFは、APに関連するSTAがチャネル推定を実行して、コヒーレント受信により、無線フレームの持続時間に関しL-SIGで搬送される情報を取得できるようにするのに用いられる。
【００４５】
更に、L-SIG領域内の長さ（LENGTH）データ領域は、無線フレームの持続時間に関する値を搬送し、値に対応する無線フレームの持続時間は、無線フレームの実際の持続時間以上である。
【００４６】
任意に、本方法は更に、
APに関連しないSTA及び別のAPが無線フレームのプリアンブル部分を受信し、且つ、予約期間内にAPに関連しないSTA及び別のAPが無線チャネルを用いて無線ローカルエリアネットワークデータを送信しないように、ＡＰが、無線フレームのプリアンブル部分の送信電力を増加させるステップであって、予約期間は、APが無線チャネル使用権を所有する期間である、ステップ、
を含む。
【００４７】
制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【００４８】
アップリンク／ダウンリンクデータ領域の構成情報は、アップリンクデータ領域の数と、ダウンリンクデータ領域の数と、アップリンクデータ領域とダウンリンクデータ領域との変換情報とを含む。
【００４９】
更に、データ領域によって用いられるOFDMA変調パラメータは、システムのチャネル帯域幅と、採用されるサイクリックプレフィックス（CP）長さと、高速フーリエ変換（FFT）のオーダーと、利用可能なサブキャリアの数とを含む。
【００５０】
APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【００５１】
第１の無線リソース指示は、第１の無線リソース指示によって指示される無線リソースブロックのサイズ及び位置と、無線リソースブロック上で用いられる変調符号化方式及び／又は多入力多出力（MIMO）伝送方式とを含む。
【００５２】
任意に、本方法は更に、
データ領域がアップリンクデータ領域を含むとき、ＡＰが、データ領域に含まれるアップリンクデータ領域において、制御領域に従って、APに関連するSTAによって送信された無線ローカルエリアネットワークデータを受信するステップ、
を含む。
【００５３】
本発明の本実施形態では、無線チャネル使用権が取得されたときに、APは無線フレームを構築することができる。無線フレームのデータ領域は少なくとも１つのダウンリンクデータ領域を含んでよく、ダウンリンクデータ領域は複数の無線リソースブロックを含み、各STAは対応する無線リソースブロックを有する。ＡＰは、ダウンリンクデータ領域内のSTAに対応する無線リソースブロック上で、無線ローカルエリアネットワークデータを該APに関連するSTAに送信することができる。無線フレームのデータ領域がアップリンクデータ領域を含むとき、アップリンクデータ領域も複数の無線リソースブロックを含み、各STAは対応する無線リソースブロックを有する。APに関連するSTAは、STAに対応する無線リソースブロック上で、無線ローカルエリアネットワークデータをAPに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【００５４】
実施形態４
図６は、本発明の実施形態に係る、無線ローカルエリアネットワークデータを伝送する方法である。図６を参照すると、本方法は以下を含む。
【００５５】
ステップ６０１：基地局（STA）が、STAに関連するアクセスポイント（AP）によって送信される無線フレームのプリアンブル部分及び制御領域を受信する。
【００５６】
ステップ６０２：ＳＴＡが、無線フレームのデータ領域に含まれるダウンリンクデータ領域において、プリアンブル部分及び制御領域に従って、STAに関連するAPによって送信される無線ローカルエリアネットワークデータを受信する。データ領域は少なくとも１つのダウンリンクデータ領域を含む。
【００５７】
プリアンブル部分は、現存の電気電子技術者協会（IEEE）802.11に対応するプリアンブル部分である。プリアンブル部分は、レガシー・ショート・トレーニングフィールド（L-STF）、レガシー・ロング・トレーニングフィールド（L-LTF）及びレガシー・シグナリングフィールド（L-SIG）を含む。
これに応じて、基地局（STA）がSTAに関連するアクセスポイント（AP）によって送信される無線フレームのプリアンブル部分及び制御領域を受信するステップの後に、本方法は更に、
ＳＴＡが、L-STFに従って、STAに関連するAPと同期を実行するステップと、
ＳＴＡが、L-LTFに従ってチャネル推定を実行するステップと、
ＳＴＡが、コヒーレント受信により、無線フレームの持続時間に関しL-SIGで搬送される情報を取得するステップと、
を含む。
【００５８】
L-SIG領域内の長さ（LENGTH）データ領域は、無線フレームの持続時間に関する値を搬送し、値に対応する無線フレームの持続時間は、無線フレームの実際の持続時間以上である。
【００５９】
更に、制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【００６０】
アップリンク／ダウンリンクデータ領域の構成情報は、アップリンクデータ領域の数と、ダウンリンクデータ領域の数と、アップリンクデータ領域とダウンリンクデータ領域との変換情報とを含む。
【００６１】
更に、データ領域によって用いられるOFDMA変調パラメータは、システムのチャネル帯域幅と、採用されるサイクリックプレフィックス（CP）長さと、高速フーリエ変換（FFT）のオーダーと、利用可能なサブキャリアの数とを含む。
【００６２】
APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【００６３】
第１の無線リソース指示は、第１の無線リソース指示によって指示される無線リソースブロックのサイズ及び位置と、無線リソースブロック上で用いられる変調符号化方式及び／又は多入力多出力（MIMO）伝送方式とを含む。
【００６４】
任意に、本方法は更に、
データ領域がアップリンクデータ領域を含むとき、ＳＴＡが、データ領域に含まれるアップリンクデータ領域において、制御領域に従って、無線ローカルエリアネットワークデータをSTAに関連するAPに送信するステップ、
を含む。
【００６５】
本発明の本実施形態では、無線チャネル使用権が取得されたときに、APは無線フレームを構築することができる。無線フレームのデータ領域は少なくとも１つのダウンリンクデータ領域を含んでよく、ダウンリンクデータ領域は複数の無線リソースブロックを含み、各STAは対応する無線リソースブロックを有する。ＡＰは、ダウンリンクデータ領域内のSTAに対応する無線リソースブロック上で、無線ローカルエリアネットワークデータを該APに関連するSTAに送信することができる。無線フレームのデータ領域がアップリンクデータ領域を含むとき、アップリンクデータ領域も複数の無線リソースブロックを含み、各STAは対応する無線リソースブロックを有する。APに関連するSTAは、STAに対応する無線リソースブロック上で、無線ローカルエリアネットワークデータをAPに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【００６６】
実施形態５
図７は、本発明の実施形態に係る、無線ローカルエリアネットワークデータを伝送する方法である。図７を参照すると、本方法は以下を含む。
【００６７】
ステップ７０１：無線チャネル使用権が取得されたときに、APが無線フレームを構築する。無線フレームは少なくともプリアンブル部分、制御領域及びデータ領域を含み、データ領域は少なくとも１つのダウンリンクデータ領域を含む。
【００６８】
無線チャネル使用権を取得する具体的な動作は、無線チャネル上でリスニングすることと、無線チャネルのエネルギーを検出することであってよい。無線チャネルのエネルギーが既定の閾値未満であると検出され、且つ、ｎ  ＮＡＶ（Network  Allocation  Vector，ネットワークアロケーションベクトル）が設定されていないと検出されたとき、無線チャネルが現時点で占有されていないと決定される。ランダムバックオフ時間の後、無線チャネルがまだ占有されていない場合、無線チャネル使用権を取得するために無線チャネルへのアクセスが行われる。
【００６９】
APと該APに関連するSTAの両方が、無線チャネル使用権を取得することができる。APに関連するSTAが無線チャネル使用権を獲得した後、APに関連するSTAは、APに通知するためにAPに通知メッセージを送信する。
【００７０】
更に、無線チャネル使用権が取得されると、APは更に、APのアドレスと予約期間とに従って予約された制御フレームを構築してよい。予約期間は、APが無線チャネル使用権を所有する期間である。ＡＰは、予約された制御フレームをブロードキャストして、現在の時間の後の直近の予約期間内にAPとAPに関連するSTAとが無線チャネルを用いることを宣言する。
【００７１】
予約された制御フレームを受信した後に、APに関連しないSTA及び別のAPが現在の時間の後の直近の予約期間内に無線チャネル使用権を取得できないように、ＡＰは、予約された制御フレームをブロードキャストする。これにより、APに関連しないSTA及び別のAPにより、AP及びAPに関連するSTAに影響が及ぶのを回避する。
【００７２】
留意すべきこととして、予約期間は既定であってよく、或いはAPによって構成されてもよく、本発明の本実施形態では具体的には限定されない。
【００７３】
任意に、無線チャネル使用権が取得されると、APは更に、予約期間を少なくとも１つの無線フレームとしてグループ化してよい。グループ化によって得られる少なくとも１つの無線フレームでは、各無線フレームの持続時間とSIFS（Short  Inter-Frame  Space，ショート・インターフレーム・スペース）の持続時間が予め構成される。SIFSの持続時間は、２つの隣接する無線フレームの間の時間間隔である。無線フレームが終了すると、APは、無線チャネルのSIFSの持続時間のリッスンを継続し、SIFSの持続時間内で無線チャネルが占有されていない場合、APは次の無線フレームを構築する。
【００７４】
図８に示されるように、AP及びAPと関連するSTAは、ＣＳＭＡ／ＣＡ（Carrier  Sense  Multiple  Access/Collision  Avoidance，搬送波感知多重アクセス／衝突回避）方式で、コンテンションウィンドウにおいて無線チャネル使用権を取得してよい。無線チャネル使用権が取得されると、APは図８の予約チャネルで予約制御フレームをブロードキャストして、無線チャネルを予約することができる。APが無線チャネルを予約した後、APはスケジューリングウィンドウに入る。スケジューリングウィンドウの時間長は、予約期間である。ＡＰは、予約期間を少なくとも１つの無線フレームとしてグループ化してよい。
【００７５】
本発明の本実施形態では、APは、APに関連するSTAの数に応じて無線フレームを構築することができるだけでなく、APとAPに関連するSTAとの間のサービスに従って無線フレームを構築することもできる。当然ながら、APは別の方式で無線フレームを構築してもよく、本発明の本実施形態では具体的には限定されない。
【００７６】
無線フレームは少なくともプリアンブル部分、制御領域及びデータ領域を含み、データ領域は少なくとも１つのダウンリンクデータ領域を含む。データ領域がダウンリンクデータ領域だけでなくアップリンクデータ領域も含むとき、アップリンクデータ領域とダウンリンクデータ領域との間にTTG（Transmit/receive  Transition Gap、送受信／移行ギャップ）が設定され、例えば、TTGのサイズは１６ｕｓであってよい。図８の下半分に示されるように、LPはプリアンブル部分であり、FCは制御領域であり、DLはダウンリンクデータ領域であり、ULはアップリンクデータ領域である。図８のDL、UL及びTTGは無線フレームのデータ領域を構成する。
【００７７】
更に、データ領域のうちアップリンクデータ領域及びダウンリンクデータ領域の数の合計は、最大で６である。
【００７８】
プリアンブル部分は、現存のIEEE802.11に対応するプリアンブル部分である。プリアンブル部分は、L-STF（Legacy-Short  Training  Field，レガシー・ショート・トレーニングフィールド）、L-LTF（Legacy-Long  Training  Field，レガシー・ロング・トレーニングフィールド）及びL-SIG（Legacy-Signal  Field，レガシー・シグナリングフィールド）を含む。L-STFはAPに関するSTAをAPと同期させるのに用いられ、L-LTFは、APに関連するSTAがチャネル推定を実行して、コヒーレント受信により、無線フレームの持続時間に関しL-SIGで搬送される情報を取得できるようにするのに用いられる。
【００７９】
上述の既存のIEEE802.11は、IEEE802.11a、IEEE802.11g、IEEE802.11n又はIEEE802.11acであってよい。
【００８０】
L-SIG領域のLENGTH（すなわち長さ）データ領域は、無線フレームの持続時間に関する値を搬送し、値は、無線フレームの実際の持続時間以上である。
【００８１】
更に、L-SIG領域は更にレートを含む。レート及び長さに従って、時間長が計算されてよい。L-SIG領域に含まれるレート及び長さは、受信器のグループ情報を構成するのに用いられてよい。
【００８２】
例えば、値が４０９５である場合、L-SIG領域に含まれるレートに従って、データ４０９５が５４６４ｕｓに対応すると計算され、５４６４ｕｓは制御領域及びデータ領域の期間である。プリアンブル部分の期間が２０ｕｓである場合、無線フレームの最大期間は５４８４ｕｓである。
【００８３】
無線フレームのアップリンクデータ領域とダウンリンクデータ領域の数は構成可能であり、各アップリンク／ダウンリンクデータ領域の期間を予め構成することができ、例えば、各アップリンク／ダウンリンクデータ領域の期間は８９６ｕｓであってよい。無線フレーム中にアップリンクデータ領域が存在する場合、ダウンリンクデータ領域とアップリンクデータ領域との変換のために時間間隔すなわちTTGが必要となる。TTGの期間は１６ｕｓであってよく、ＴＴＧは、ダウンリンクデータ領域とアップリンクデータ領域との変換を保証することができる。制御領域の期間は４８ｕｓ又は４４ｕｓである。制御領域の期間が４８ｕｓであるとき、制御領域は１２個のOFDM（Orthogonal  Frequency  Division  Multiplexing，直交周波数分割多重）シンボルを含む。制御領域の期間が４４ｕｓであるとき、制御領域は１１個のOFDMシンボルを含む。ここでのOFDMシンボルは、802.11acのOFDMパラメータを用いて設定される。上述のパラメータに従って、制御領域の期間が４８ｕｓであるとき、無線フレームの最大期間が５４８４ｕｓであること、或いは、制御領域の期間が４４ｕｓであるとき、無線フレームの最大期間が５４８０ｕｓであることが設定される。
【００８４】
図９に示されるように、プリアンブル部分のL-SIGは、１２ｂｉｔを用いてパケット長を表してよい。これは、L-SIGフィールドによって表すことのできる最大パケット長が１２ｂｉｔｓに制限されることを意味する。レートRate部分によって表される最低のMCS（Modulation  and  Coding  Scheme，変調符号化方式）は、BPSK（Binary  Phase  Shift  Keying，二位相偏移変調）変調である。BPSＫ変調及び１２ｂｉｔ表示のパケット長を用いて、次のパケットの最大期間を計算することができる。テールTailは、チャネル符号器及び復号器のレジスタをクリアするために用いられる。
【００８５】
更に、制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【００８６】
アップリンク／ダウンリンクデータ領域の構成情報は、アップリンクデータ領域の数と、ダウンリンクデータ領域の数と、アップリンクデータ領域とダウンリンクデータ領域との変換情報とを含んでよい。
【００８７】
無線フレームのアップリンクデータ領域とダウンリンクデータ領域の数は、APとAPに関連するSTAとの間のサービスに応じて構成されてよい。当然ながら、APは更に、APとAPに関連するSTAとの間のサービスに応じて、複数の予め構成された構成方式から構成方式を選択してよい。例えば、下記表１に示すように、表１は複数の構成方式を示す。表１のＤはダウンリンクデータ領域を表し、Ｕはアップリンクデータ領域を表す。表１は更に、各構成方式に対応するL-SIGに含まれるLENGTHの値の大きさを示す。制御領域の期間は４８ｕｓ又は４４ｕｓとすることができるので、表１は、４８ｕｓに対応するLENGTH１の値の大きさを示し、４４ｕｓに対応するLENGTH２の値の大きさを示す。
【表１】
0006479033.tif 000002
【００８８】
更に、無線フレーム内のアップリンクデータ領域及びダウンリンクデータ領域の位置が構成されてもよい。
【００８９】
データ領域によって用いられるOFDMA変調パラメータは、システムのチャネル帯域幅と、採用されるCP（Cyclic  Prefix，サイクリックプレフィックス）長さと、ＦＦＴ（Fast  Fourier  Transformation，高速フーリエ変換）のオーダーと、利用可能なサブキャリアの数とを含んでよい。
【００９０】
採用されるCP長さは、APが配置されるシナリオに応じて構成されてもよい。シナリオが著しく異なると、チャネル状態も著しく異なる。例えば、ＡＰは、屋内に配置されても屋外に配置されてもよい。チャネル状態が異なると必要なCP長さも異なる。CP長さの選択は、リソースのオーバーヘッドとシステム性能の妥協の結果である。APとSTAとの間に屋内チャネルが存在する場合、マルチパス拡散は小さい。この場合、比較的長いCPを使用すると、リソース使用率の低下を引き起こす可能性がある。APとSTAとの間に屋外のチャネル又は屋外から屋内へのチャネルが存在する場合、マルチパス拡散は大きい。この場合、比較的短いCPを使用すると、システム性能の低下を引き起こす可能性がある。したがって、固定されたCP長は、全て又はほとんどシナリオの配置を満たすことに失敗する可能性がある。ＡＰは、配置シナリオの相違に応じて、異なるCP長さを採用することを示す必要がある。例えば、屋内シナリオでは０．８ｕｓのCPが採用される。ＵＭｉ（Urban  Micro，アーバンマイクロ）シナリオでは、CP長さは４．４ｕｓである。ＵＭａ（Urban  Macro，アーバンマクロ）シナリオでは、CP長さは６．４ｕｓである。ＡＰは、APが配置されるシナリオに応じて、対応するCP長さを選択し、制御領域における対応するCP長さを示す。例えば、システムが屋内とＵＭｉのシナリオのみをサポートする場合、制御ドメインにおいて１ｂｉｔ情報が指示に用いられ、０が０．８ｕｓを表すことを示し、１が４．８ｕｓを表すことを示す。システムが更にＵＭａシナリオをサポートする必要がある場合、制御領域において２ｂｉｔ情報を指示に用いる必要があり、００が０．８ｕｓの採用を表すことを示し、０１が４．４ｕｓの採用を表すことを示し、０２が６．４ｕｓのCPの採用を表すことを示す。
【００９１】
APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【００９２】
第１の無線リソース指示は、第１の無線リソースによって指示される無線リソースブロックのサイズ及び位置と、無線リソースブロック上で用いられる変調符号化方式及び／又はMIMO（Multi-input  Multi-output，多入力多出力）伝送方式とを含む。
【００９３】
ステップ７０２：ＡＰが、無線フレームのプリアンブル部分及び制御領域を該APに関連するSTAに送信する。
【００９４】
プリアンブル部分と制御領域は、無線フレームの異なる構成要素である。ＡＰは、まず、APに関連するSTAに無線フレームのプリアンブル部分を送信し、その後、APに関連するSTAに無線フレームの制御領域を送信してよい。
【００９５】
任意に、APがAPに関連するSTAに無線フレームのプリアンブル部分を送信するとき、APに関連するSTAが無線フレームのプリアンブル部分を受信できるだけでなく、APに関連しないSTAも無線フレームのプリアンブル部分を受信できるように、APは無線フレームのプリアンブル部分をブロードキャストする。APが無線フレームのプリアンブル部分をブロードキャストするとき、APに関連しないSTA及び別のAPが無線フレームのプリアンブル部分を受信し、且つ、予約期間内にAPに関連しないSTA及び別のAPが無線チャネルを用いて無線ローカルエリアネットワークデータを送信しないように、ＡＰは、無線フレームのプリアンブル部分の送信電力を増加させてよい。例えば、ピーク対平均レートが満たされる場合には、無線フレームのプリアンブル部分の送信電力を２ｄＢ増加させてよい。
【００９６】
無線フレームのプリアンブル部分の送信電力を増加させることにより、APに関連しないSTA及び別のAPはより良好に無線フレームのプリアンブル部分を受信することができ、よって、APに関連しないSTA及び別のAPは、無線チャネルを用いて無線ローカルエリアネットワークデータを送信しない。これにより、APに関連しないSTA及び別のAPが無線ローカルエリアネットワークデータを送信するとき、APとAPに関連するSTAとの間の無線ローカルエリアネットワークデータの伝送に対する干渉が回避され、比較的良好な効果が得られる。
【００９７】
プリアンブル部分と制御領域の両方が、既存のIEEE802.11規格に対応するOFDM方式で送信される。
【００９８】
既存のIEEE802.11は、IEEE802.11a、IEEE802.11g、IEEE802.11n又はIEEE802.11acであってよい。
【００９９】
プリアンブル部分及び制御領域が送信されるとき、プリアンブル部分及び制御領域は、OFDM構成パラメータに従って構成され、送信されてよい。例えば、表２に示されるように、表２の第１の数値列は、プリアンブル部分及び制御領域を構成するためのOFDM構成パラメータであり、第２の数値列は、アップリンクデータ領域とダウンリンクデータ領域のOFDMA構成パラメータである。
【０１００】
更に、各ダウンリンクデータ領域又はアップリンクデータ領域の持続時間は９００ｕｓであってよい。表２の第２の値がOFDMA変調を実行するために使用されるとき、各アップリンク又はダウンリンクデータ領域は、３０個のOFDMシンボルを含む。
【０１０１】
任意に、表２の第２の値がOFDMA変調を実行するために使用されるとき、各無線リソースブロックは、３２個のサブキャリア及び６個のOFDMシンボルによって占有される１９２個のリソースユニットを含んでよい。この場合、１つのアップリンク又はダウンリンクデータ領域は、合計７０個の無線リソースブロックを含む。代替として、各無線リソースブロックは、１６個のサブキャリア及び１０個のOFDMシンボルによって占有される１６０個のリソースユニットを含んでもよい。この場合、１つのアップリンク又はダウンリンクデータ領域は、合計８４個の無線リソースブロックを含む。
【表２】
0006479033.tif 000003
【０１０２】
ステップ７０３：APに関連するSTAが、APによって送信される無線フレームのプリアンブル部分及び制御ドメインを受信する。
【０１０３】
APはまず無線フレームのプリアンブル部分を送信し、その後、無線フレームの制御領域を送信する。したがって、APに関連するSTAはまず、APによって送信された無線フレームのプリアンブル部分を受信し、その後、APによって送信された無線フレームの制御領域を受信する。
【０１０４】
ステップ７０４：APに関連するSTAが、無線フレームのデータ領域に含まれるダウンリンクデータ領域で、無線フレームのプリアンブル部分及び制御領域に従って、APによって送信された無線ローカルエリアネットワークデータを受信する。
【０１０５】
APに関連するSTAが無線フレームのプリアンブル部分を受信すると、ＳＴＡは、プリアンブル部分のL-STFに従って、STAに関連するAPと同期し、プリアンブル部分のL-LTFに従ってチャネル推定を行う。ＳＴＡは、コヒーレント受信により、無線フレームのプリアンブル部分のL-SIGで搬送される、無線フレームの持続時間に関する情報を取得する。
【０１０６】
APに関連するSTAは、制御領域に含まれる無線フレームのアップリンク／ダウンリンクデータ領域の構成情報と、データ領域によって用いられるOFDMA（Orthogonal  Frequency  Division  Multiple  Access，直交周波数分割多元接続）変調パラメータと、APに関連するSTAに対する無線リソース割当て指示情報とに従って、データ領域のうちダウンリンクデータ領域においてSTAに対応するリソースブロックと、該リソースブロックのデータを伝送する際に採用される伝送パラメータ（例えばＭＣＳ又はＭＩＭＯ方式で）とを決定し、決定されたリソースブロック上で、APによって送信された無線ローカルエリアネットワークデータを受信し復調する。
【０１０７】
データ領域はOFDMA方式で送信される。
【０１０８】
ステップ７０５：無線フレームのデータ領域がアップリンクデータ領域を含むとき、APに関連するSTAが、データ領域に含まれるアップリンクデータ領域において、無線フレームの制御領域に従って、無線ローカルエリアネットワークデータをAPに送信する。
【０１０９】
APに関連するSTAが、データ領域に含まれるアップリンクデータ領域において、無線フレームの制御領域に従って、無線ローカルエリアネットワークデータをAPに送信する具体的な動作は、APに関連するSTAが、無線フレームの制御領域に従って、送信を要する無線ローカルエリアネットワークデータに対して変調及び符号化を実行し、STAに対応するリソースブロック上で、符号化された無線ローカルエリアネットワークデータをAPに送信することであってよい。
【０１１０】
APに関連するSTAが、無線フレームの制御領域に従って、送信を要する無線ローカルエリアネットワークデータに対して変調及び符号化を実行する具体的な動作は、APに関連するSTAが、無線フレームの制御領域に含まれるOFDM変調パラメータと、制御領域に含まれる無線フレームのアップリンク／ダウンリンクデータ領域の構成情報と、APに関連するSTAに対する無線リソース割当て指示情報とに従って、送信を要する無線ローカルエリアネットワークデータに対して変調及び符号化を実行し、アップリンクデータ領域においてSTAの対応するリソースブロックを決定し、決定されたリソースブロック上で、変調及び符号化が実行された無線ローカルエリアネットワークデータをAPに送信することであってよい。
【０１１１】
更に、予約期間が終了する前に、APがスケジューリングウィンドウを終了したい場合、すなわち、APが無線チャネル使用権を放棄する場合、APは放棄制御フレームをブロードキャストして、APが無線チャネル使用権を放棄することを宣言してよい。この場合には、別のAP又はSTAが、競合方式で、無線チャネル使用権を取得してよい。
【０１１２】
本発明の本実施形態では、無線チャネル使用権が取得されたときに、APは無線フレームを構築することができる。無線フレームは、プリアンブル部分、制御領域及びデータ領域を含む。ＡＰは、該APに関連するSTAがプリアンブル部分を受信するだけでなく、APに関連しないSTA及び別のAPもプリアンブル部分を受信できるように、プリアンブル部分の送信電力を増加させ、プリアンブル部分をブロードキャストすることができる。よって、APに関連しないSTA及び別のAPは無線チャネルを用いて無線ローカルエリアネットワークデータを送信せず、APに関連しないSTA及び別のAPが無線ローカルエリアネットワークデータを送信するとき、APとAPに関連するSTAとの間の無線ローカルエリアネットワークデータの伝送に対する干渉が回避され、比較的良好な効果が達成される。加えて、無線フレームのデータ領域は複数のアップリンクデータ領域と複数のダウンリンクデータ領域を含むことができ、各アップリンクデータ領域又はダウンリンクデータ領域は複数の無線リソースブロックを含むので、各STAは対応する無線リソースブロックを有する。APに関連するSTAは、アップリンクデータ領域内のSTAに対応する無線リソースブロック上で、無線ローカルエリアネットワークデータをAPに送信することができる。ＡＰは、ダウンリンクデータ領域内のSTAに対応する無線リソースブロック上で、無線ローカルエリアネットワークデータをAPに関連するSTAに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【０１１３】
実施形態６
図１０は、本発明の実施形態に係る、無線ローカルエリアネットワークデータを伝送するための装置である。図１０を参照すると、本装置は、第１の送信器１００１、第１の受信器１００２、第１のメモリ１００３及び第１のプロセッサ１００４を備え、これらは以下の無線ローカルエリアネットワークデータを伝送する方法を実行するように構成される。
第１のプロセッサ１００４は、無線チャネル使用権が取得されたときに無線フレームを構築するように構成される。無線フレームは少なくともプリアンブル部分、制御領域及びデータ領域を含み、データ領域は少なくとも１つのダウンリンクデータ領域を含む。
第１の送信器１００１は、プリアンブル部分及び制御領域を、APに関連する基地局（STA）に送信するように構成される。
第１の送信器１００１は更に、無線フレームのダウンリンクデータ領域において、無線ローカルエリアネットワークデータをAPに関連するSTAに送信するように構成される。
【０１１４】
プリアンブル部分と制御領域の両方は、現存の電気電子技術者協会（IEEE）802.11規格に対応する直交周波数分割多重（OFDM）方式で送信され、データ領域は、直交周波数分割多元接続（OFDMA）方式で送信される。
【０１１５】
プリアンブル部分は、現存のIEEE802.11に対応するプリアンブル部分である。プリアンブル部分は、レガシー・ショート・トレーニングフィールド（L-STF）、レガシー・ロング・トレーニングフィールド（L-LTF）及びレガシー・シグナリングフィールド（L-SIG）を含む。L-STFは、APに関連するSTAをAPと同期させるのに用いられ、L-LTFは、APに関連するSTAがチャネル推定を実行して、コヒーレント受信により、無線フレームの持続時間に関しL-SIGで搬送される情報を取得できるようにするのに用いられる。
【０１１６】
任意に、L-SIG領域内の長さ（LENGTH）データ領域は、無線フレームの持続時間に関する値を搬送し、値に対応する無線フレームの持続時間は、無線フレームの実際の持続時間以上である。
【０１１７】
更に、
第１のプロセッサ１００４は更に、APに関連しないSTA及び別のAPが無線フレームのプリアンブル部分を受信し、且つ、予約期間内にAPに関連しないSTA及び別のAPが無線チャネルを用いて無線ローカルエリアネットワークデータを送信しないように、無線フレームのプリアンブル部分の送信電力を増加させるように構成される。予約期間は、APが無線チャネル使用権を所有する期間である。
【０１１８】
制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【０１１９】
アップリンク／ダウンリンクデータ領域の構成情報は、アップリンクデータ領域の数と、ダウンリンクデータ領域の数と、アップリンクデータ領域とダウンリンクデータ領域との変換情報とを含む。
【０１２０】
更に、データ領域によって用いられるOFDMA変調パラメータは、システムのチャネル帯域幅と、採用されるサイクリックプレフィックス（CP）長さと、高速フーリエ変換（FFT）のオーダーと、利用可能なサブキャリアの数とを含む。
【０１２１】
APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【０１２２】
任意に、第１の無線リソース指示は、第１の無線リソース指示によって指示される無線リソースブロックのサイズ及び位置と、無線リソースブロック上で用いられる変調符号化方式及び／又は多入力多出力（MIMO）伝送方式とを含む。
【０１２３】
任意に
第１の受信器１００２は更に、データ領域がアップリンクデータ領域を含むとき、データ領域に含まれるアップリンクデータ領域において、制御領域に従って、APに関連するSTAによって送信された無線ローカルエリアネットワークデータを受信するように構成される。
【０１２４】
本発明の本実施形態では、無線チャネル使用権が取得されたときに、APは無線フレームを構築することができる。無線フレームのデータ領域は少なくとも１つのダウンリンクデータ領域を含んでよく、ダウンリンクデータ領域は複数の無線リソースブロックを含み、各STAは対応する無線リソースブロックを有する。ＡＰは、ダウンリンクデータ領域内のSTAに対応する無線リソースブロック上で、無線ローカルエリアネットワークデータを該APに関連するSTAに送信することができる。無線フレームのデータ領域がアップリンクデータ領域を含むとき、アップリンクデータ領域も複数の無線リソースブロックを含み、各STAは対応する無線リソースブロックを有する。APに関連するSTAは、STAに対応する無線リソースブロック上で、無線ローカルエリアネットワークデータをAPに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【０１２５】
実施形態７
図１１は、本発明の実施形態に係る、無線ローカルエリアネットワークデータを伝送するための装置である。図１１を参照すると、本装置は、第２の送信器１１０１、第２の受信器１１０２、第２のメモリ１１０３及び第２のプロセッサ１１０４を備え、これらは以下の無線ローカルエリアネットワークデータを伝送する方法を実行するように構成される。
第２の受信器１１０２は、STAに関連するアクセスポイント（AP）によって送信される無線フレームのプリアンブル部分及び制御領域を受信するように構成される。
第２の受信器１１０２は更に、無線フレームのデータ領域に含まれるダウンリンクデータ領域において、プリアンブル部分及び制御領域に従って、STAに関連するAPによって送信される無線ローカルエリアネットワークデータを受信するように構成される。データ領域は少なくとも１つのダウンリンクデータ領域を含む。
【０１２６】
プリアンブル部分は、現存の電気電子技術者協会（IEEE）802.11に対応するプリアンブル部分である。プリアンブル部分は、レガシー・ショート・トレーニングフィールド（L-STF）、レガシー・ロング・トレーニングフィールド（L-LTF）及びレガシー・シグナリングフィールド（L-SIG）を含む。
これに応じて、
第２のプロセッサ１１０４は、L-STFに従って、STAに関連するAPとの同期を実行するように構成され、
第２のプロセッサ１１０４は更に、L-LTFに従ってチャネル推定を実行するように構成され、
第２の受信器１１０２は更に、コヒーレント受信により、無線フレームの持続時間に関しL-SIGで搬送される情報を取得するように構成される。
【０１２７】
L-SIG領域内の長さ（LENGTH）データ領域は、無線フレームの持続時間に関する値を搬送し、値に対応する無線フレームの持続時間は、無線フレームの実際の持続時間以上である。
【０１２８】
更に、制御領域は、無線フレームのアップリンク／ダウンリンクデータ領域の構成情報と、データ領域によって用いられるOFDMA変調パラメータと、APに関連するSTAに対する無線リソース割当て指示情報とを含む。
【０１２９】
任意に、アップリンク／ダウンリンクデータ領域の構成情報は、アップリンクデータ領域の数と、ダウンリンクデータ領域の数と、アップリンクデータ領域とダウンリンクデータ領域との変換情報とを含む。
【０１３０】
データ領域によって用いられるOFDMA変調パラメータは、システムのチャネル帯域幅と、採用されるサイクリックプレフィックス（CP）長さと、高速フーリエ変換（FFT）のオーダーと、利用可能なサブキャリアの数とを含む。
【０１３１】
任意に、APに関連するSTAに対する無線リソース割当て指示情報は、第１の無線リソース指示を含む。第１の無線リソース指示は、各スケジューリングされたSTAがデータを伝送するのに用いられる第２の無線リソース指示に対応する無線リソースブロックを示すのに用いられ、又は、第１の無線リソース指示は、各スケジューリングされたSTAがデータを伝送するために用いる無線リソースブロックを示すのに用いられる。
【０１３２】
更に、第１の無線リソース指示は、第１の無線リソース指示によって指示される無線リソースブロックのサイズ及び位置と、無線リソースブロック上で用いられる変調符号化方式及び／又は多入力多出力（MIMO）伝送方式とを含む。
【０１３３】
任意に、
第２の送信器１１０１は、データ領域がアップリンクデータ領域を含むとき、データ領域に含まれるアップリンクデータ領域において、制御領域に従って、無線ローカルエリアネットワークデータをSTAに関連するAPに送信するように構成される。
【０１３４】
本発明の本実施形態では、無線チャネル使用権が取得されたときに、APは無線フレームを構築することができる。無線フレームのデータ領域は少なくとも１つのダウンリンクデータ領域を含んでよく、ダウンリンクデータ領域は複数の無線リソースブロックを含み、各STAは対応する無線リソースブロックを有する。APは、ダウンリンクデータ領域内のSTAに対応する無線リソースブロック上で、無線ローカルエリアネットワークデータを該APに関連するSTAに送信することができる。無線フレームのデータ領域がアップリンクデータ領域を含むとき、アップリンクデータ領域も複数の無線リソースブロックを含み、各STAは対応する無線リソースブロックを有する。APに関連するSTAは、STAに対応する無線リソースブロック上で、無線ローカルエリアネットワークデータをAPに送信することができる。APは複数のSTAと関連してよいので、１対多又は多対１の関係にあるAPとSTAとの間で無線ローカルエリアネットワークデータを伝送することができ、スペクトル利用率及びネットワークの使用効率が改善される。
【０１３５】
当業者であれば理解できるように、実施形態のステップの全部又は一部は、ハードウェア又は関連ハードウェアに指示するプログラムによって実施されてよい。プログラムは、コンピュータ可読記憶媒体に格納されてよい。記憶媒体は、読み出し専用メモリや磁気ディスク、光ディスクを含むことができる。
【０１３６】
上述の説明は本発明の例示的な実施形態に過ぎず、本発明を限定するものではない。本発明の主旨及び原理を逸脱することなくなされる任意の変更、均等置換及び改良は、本発明の保護範囲内に包含されるものとする。
【０１３７】
更に留意すべきこととして、本明細書では、第１や第２等の関係語は、あるエンティティ又は操作を別のエンティティ又は操作と区別するために用いられるに過ぎず、これらのエンティティ又は操作の間に任意の実際の関係又は順序が存在することを必ずしも必要とせず、或いは意味するものではない。更に、用語「含む」、「備える」又はそれらの任意の他の変形は、非排他的な包含を網羅することが意図され、よって、要素のリストを含むプロセス、方法、物品又は装置が該要素を含むだけでなく、明示的に記載されていない他の要素も含み、又は更に、係るプロセス、方法、物品又は装置に固有の要素も含む。更に多くの制約がない状況では、「…を含む」が後置される要素は、該要素を含むプロセス、方法、物品又は装置において追加の同一の要素の存在を排除するものではない。
【０１３８】
上述の実施方式の説明に基づき、当業者であれば明らかに理解できるように、本発明は、必要な汎用ハードウェアに追加されるソフトウェアで実現されてよい。汎用ハードウェアは、汎用集積回路、汎用ＣＰＵ、汎用メモリ、汎用コンポーネント等を含み、或いは、特定用途向け集積回路、専用ＣＰＵ、専用メモリ、専用コンポーネント等の、専用ハードウェアによって実現されてよい。このような理解に基づき、本発明の技術的解決策は本質的に、或いは従来技術に寄与する部分は、ソフトウェア製品の形で実施されてよい。コンピュータソフトウェア製品は読取り可能な記憶媒体に格納され、例えば、ＵＳＢフラッシュドライブ、リムーバブルハードディスク、リード・オンリー・メモリ（ROM，Read-Only  Memory）、ランダム・アクセス・メモリ（RAM，Random  Access  Memory）、磁気ディスク、光ディスク等の、ソフトウェアプログラムコードを格納することができる様々なメディアに格納される。また、コンピュータソフトウェア製品は、コンピュータ装置（パーソナルコンピュータ、サーバ、ネットワーク機器等であってよい）に本発明の実施形態に記載の方法を実行するように命令するための複数の命令を含む。
【０１３９】
提供される実施形態の上述の説明により、当業者は本発明を実施又は使用することができる。実施形態に対する様々な変更は当業者には明らかであり、本明細書で定義された一般的な原理は、本発明の主旨又は範囲から逸脱することなく他の実施形態で実施されてよい。したがって、本発明は、本明細書中に記載された実施形態に限定されるものではなく、本明細書で提供される原理及び新規性に準拠する最も広い範囲にまで及ぶ。
【０１４０】
以下、ほんの一例として、本発明のいくつかの具体的な実施方式について説明する。
【０１４１】
上記図８に示されるコンテンションウィンドウの「予約チャネル部分」の詳細については、図８ａを参照されたい。具体的には、APが競合を通じてチャネル使用権を取得した後に無線フレームを構築する前に、本方法は更に、APがRTS（英語：Request  To  Send）を送信し、APに関連する１以上のSTAが返答に用いる１以上のCTS（英語：Clear  To  Send）を受信することを含む。１以上のCTSは、CTSを送信するSTAがデータを受信又は送信することができることを示すために用いられる（チャネル条件により、データの受信及び送信が可能になる）。より具体的には、CTSを受信するとき、近隣の他の通信ノードはそのチャネルを用いて通信を行わない。すなわち、STAはCTSを送信することにより、近隣の通信ノードにより使用されないようにチャネルを保護して、干渉の発生を回避する。
【０１４２】
より具体的には、APによって送信されたRTSの受信側アドレスはグループアドレスであってよく、或いは指定されたSTAのアドレスであってよく、或いはAPに関連する全てのSTAのアドレスであってよい。例えば、受信側アドレスはデフォルトのアドレスによって表され、例えば全てゼロによって表される。APの指示に従って受信を行うSTA（すなわち、受信側アドレスによって示されるSTA）がRTSを受信した後、STAは一定期間後に、例えばSIFS期間の後に、CTSで応答する。例えば、APに関連するSTAにおけるSTAのグループについて、APによって指定された特定のSTA又は全てのSTAは別々にCTSで応答する。このような応答は時分割、符号分割、周波数分割又はOFDMA技術を用いて送信されてよく、或いは、全く同じリソース上で重畳され送信されてよい。
【０１４３】
上記のように、APはAPに関連するSTAの数に応じて無線フレームを構築することができるだけでなく、ＡＰは、APに関連するAPとSTAとの間のサービスに応じて無線フレームを構築することもできる。当然ながら、APは別の方式で無線フレームを構築してもよい。具体的には、ＡＰは、受信されるCTSに応じて、どの種類の無線フレームが構築されるかを決定してよい。例えば、ＡＰは、受信されるCTSの数に従って、スケジュール可能なSTAの数を決定し、更に、スケジューリング期間又はスケジュールされる無線フレームの数と、無線フレームのダウンリンクサブフレームの数及びアップリンクサブフレームの数又は無線フレーム内のダウンリンクサブフレームとアップリンクサブフレームとの比率を決定する。更に、STAがグループの方式でCTSで応答する場合、APは更に、無線フレームにおいてMU-MIMO伝送が使用できるか否かを決定し、MU-MIMO伝送を行うためにいくつのリソースを割り当てることができるかを決定してよく、これにより、無線フレームの内部構造を決定する。別の例として、スケジュールされる無線フレームのスケジューリング期間又は数を決定するために、ＡＰは、受信されるCTSの信号強度に応じて、スケジューリング期間内の送信ＭＣＳを判定する。
【０１４４】
図８、図８ａ及び図９に示されるフレーム構造では、具体的なフレーム構造置換方式が複数あってよい。例えば、本発明の実施方式では、無線フレームは順番に、既存のIEEE802.11（以下、簡単にLegacy  preambleと呼ぶ）に対応するプリアンブル部分と、次世代規格（例えばHEW  preamble）で採用されるプリアンブル部分と、第１のダウンリンクサブフレームとを含み、或いは、別のダウンリンクサブフレーム又はアップリンクサブフレームを含んでよい。別のダウンリンクサブフレーム又はアップリンクサブフレームは、次世代規格のトレーニング・シーケンス・フィールド部分（例えばHEW  STF及びHEW  LTF部分）及びデータを含み、既存のIEEE802.11に対応するプリアンブル部分を含まない。
【０１４５】
本発明の実施方式によって提供される様々なフレーム構造では、無線フレームは、１以上のダウンリンクサブフレームと１以上のアップリンクサブフレームを含む。このように、前の段落で言及したフレーム構造に基づくと、ダウンリンクサブフレームとアップリンクサブフレームは変換され、変換後の１つ目のサブフレームは、Legacy  preambleと、次世代規格で採用されるpreamble（例えばHEW  preamble）とを含む。例えば、上述したTTGの後、第1のアップリンクデータの前に、第１のサブフレームは、Legacy  preambleと次世代規格で採用されるpreamble（例えばHEW  preamble）を含む。残りの非第1のダウンリンクサブフレームと非第1のアップリンクサブフレームは、次世代規格のトレーニング・シーケンス・フィールド部分を含み（例えばHEW  STF部分とHEW  LTF部分）、Legacy  preambleと次世代規格のpreambleの別の部分を含まない。
【０１４６】
本実施態様によって提供される様々なフレーム構造では、無線フレームは、無線フレームのダウンリンクサブフレームのACK情報を含む。例えば、無線フレームにおいて、ダウンリンクサブフレームのACK情報は、ダウンリンクサブフレームの後に続くアップリンクサブフレームで搬送される。このようなアップリンクサブフレームはデフォルトであってよい。例えば、ダウンリンクサブフレームの後の１つ目のアップリンクサブフレーム又は第１のいくつかのアップリンクサブフレームが、ダウンリンクサブフレームのACK情報を搬送する。一例では、１つ目のULサブフレームはACK応答として用いられ、２つ目と３つ目のULサブフレームは、アップリンクデータペイロードの送信に用いられる。当然ながら、このようなアップリンクサブフレームは、事前にAPによりアップリンクSTAに示されてよい。
【０１４７】
より具体的な例では、ダウンリンクサブフレームのACK情報を搬送するアップリンクサブフレームの後に、無線フレームはダウンリンクサブフレームを含む。ダウンリンクサブフレームは、データ（ペイロード）を搬送する後続のアップリンクサブフレームの送信をトリガするために用いられ、ダウンリンクサブフレームは、リソース割当てインジケータ等の情報、例えば後続のアップリンクサブフレームのリソースブロック情報を搬送することができる。ダウンリンクサブフレームは、legacy  preambleと次世代規格のpreamble（例えばHEW  preamble）のみを含んでよく、或いは、これら２つの部分に加えてMAC  PDU部分を含んでよい。
【０１４８】
また、上述の実施方式において、アップリンク／ダウンリンクデータ領域の構成情報は、アップリンクデータ領域の数と、ダウンリンクデータ領域の数と、アップリンクデータ領域とダウンリンクデータ領域との変換情報とを含んでよいことが言える。留意すべきこととして、アップリンク／ダウンリンクデータ領域の構成情報は、複数の具体的な形態を有してよく、本発明の実施方式では限定されない。
【０１４９】
例えば、図８ｂのデータ構造の概略図を参照すると、ある実施方式において、PPDUのL-SIGのLength、すなわちL-Lengthは、アップリンクデータ領域及びダウンリンクデータ領域（ダウンリンクサブフレーム及びアップリンクサブフレーム）の長さの合計を示すのに用いられる。また、HE-SIGは、ダウンリンクサブフレームの長さを示す情報を含む（例えばHE-Lengthと命名することができる）。この構造によれば、ダウンリンク伝送及びアップリンク伝送が完全に保護される。
【０１５０】
上述のデータ構造を用いるＷＬＡＮシステムでは、受信端はPPDUを受信した後に以下の処理を行う。
【０１５１】
ステップ１：現在のダウンリンクサブフレーム（すなわち現在のPPDU）とアップリンクサブフレーム（アップリンクPPDU）との長さの合計を取得するために、PPDUのL-SIGで搬送されるL-Lengthを読み取る。
【０１５２】
ステップ２：現在のフレームがHEタイプのフレームであることが学習された後、HE-SIGで搬送される長さ情報HE-Lengthに応じて、現在のダウンリンクサブフレーム（すなわち現在のPPDU）の長さを学習する。
【０１５３】
ステップ３：更に、L-LengthとHE-Lengthに応じてアップリンク・サブフレーム（UL  MU  PPDU等）の長さを得る。具体的には、アップリンクサブフレームの長さ＝L-Length−HE-Length−SIFSである。
【０１５４】
より具体的な例では、上述のデータ構造を用いる受信端（HE受信端）について、ダウンリンクデータのみを受信する必要がある場合、信号受信又はCCA検出は、ステップ３で得られたアップリンクサブフレームの長さの時間内に停止することができる。このように、当然ながら、ある程度電力を低減することができる。受信端がアップリンクデータを送信する必要がある場合、ステップ３で得られたアップリンクサブフレームの長さは、受信端がアップリンクデータを送信するための限界又は閾値である。すなわち、受信端によって送信されるデータの長さは、アップリンクサブフレーム（UL  MU  PPDU）の計算された長さ未満である必要がある。
【０１５５】
PPDUを受信した後、別の受信端（非HE受信端）がPPDUのL-SIGで搬送されるL-Lengthを読み取り、L-Lengthを現在のフレーム（PPDU）の長さとして用いる。長さによって示された時間内では、非HE受信端は、現在の送信に干渉することを避けるために能動的にデータを送信せず、或いは、もはや信号を受信しないか、或いはCCA検出を停止することがある。このように、当然ながら、ある程度電力を低減することもできる。
【０１５６】
更に、L-length、HE-Length及びSIFSの長さ単位は統一されるか或いは一致し、例えば時間、ビット数又はOFDM／OFDMAシンボルの数である。
【０１５７】
例えば、１つの方法は、時間（例えばマイクロ秒（μs））を単位として用いることである。具体的には、L-lengthは、ダウンリンクPPDU、アップリンクPPDU及びフレーム間スペースの時間長の合計を示し、HE-Lengthは、ダウンリンクPPDUの時間長を示す。別の方法は、L-Lengthの既存の単位、すなわちbyteを単位として用いることである。
【０１５８】
具体的な例では、具体的な計算方法は以下を含む。
【０１５９】
TL-Length＝TDL_PPDU＋TUL_PPDU＋SIFS＋THE-SIG
【０１６０】
THE-Length＝TDL_PPDU＋THE-SIG
【０１６１】
L-Length＝ceiling[TL-Length/Tsymbol]*Nsymbol
Nsymbolの単位はbyteであり、これは各symbolに含まれるbyteの数を意味する。
【０１６２】
HE-Length＝ceiling[THE-Length/Tsymbol]*Nsymbol
【０１６３】
OFDM／OFDMAシンボルの数が長さ（length）の単位として用いられる場合、
【０１６４】
L-Length＝ceiling[TL-Length/Tsymbol]、且つ、
【０１６５】
HE-Length＝ceiling[THE-Length/Tsymbol]
である。
【０１６６】
上記の式において、TL-Lengthは、L-Lengthによって示される時間長であり、TDL_PPDUはDL  PPDUを送信するために必要な時間長であり、TUL_PPDUはUL  PPDUを送信するために必要な時間長であり、SIFSはショート・インターフレーム・スペース（Short  Inter-frame  Space）であり、THE-LengthはHE-Lengthによって示される時間長であり、THE-SIGは、HE-SIGを送信するために必要な時間長であり、Tsymbolは、OFDMシンボルを送信するために必要な時間長であり、Ceiling[x]はｘについて行われる切り上げ演算である。
【０１６７】
また、図８ｃを参照する。図８ｃは、STAによって送信されたアップリンクサブフレームの概略構造図である。L-SIGのアップリンクサブフレーム（アップリンクPPDU）中のL-Lengthは、アップリンクサブフレームのマルチユーザ部分（HE-SIG及びアップリンクMU部分を含む、アップリンクMU  PPDU）の長さを示すのに用いられる。このように、アップリンク伝送をより良好に保護することができる。
【０１６８】
具体的な例では、アップリンクPPDUにおいて、長さ単位がマイクロ秒である場合を例に挙げると、TL-Length＝TUL_PPDU−20である。20はレガシープリアンブル（Legacy  Preamble）の長さである。
【０１６９】
更に、STAによって送信されたアップリンクサブフレームは、更に、APによって送信されるアップリンクリソース割当て情報（Resource  Allocation）を含んでよい。具体的には、アップリンクリソース割当て情報は、送信されるアップリンクサブフレームのHE-SIGに含まれてよい。
【０１７０】
以上のデータ構造に基づき、アップリンクサブフレームを受信した後、非宛先HE  STAは以下の処理を行ってよい。
【０１７１】
ステップ１：L-Lengthを読み取って、現在のフレームの期間を学習する。
【０１７２】
ステップ２：HE-SIGの読取りを継続してアップリンクリソース割当て情報を学習し、アップリンクリソース割当て情報に従って、リソースブロック中のMACヘッダ中のDurationを読み取る。
【０１７３】
ステップ３：非宛先HE  STAは、現在のTXOP期間を学習し、期間情報に従って効果的にＮＡＶを設定することができる。
【０１７４】
Durationは、現在のTXOPの時間長を示す。したがって、その長さは現在のフレームに限定されない。
【０１７５】
アップリンクサブフレームについて、L-Length及び／又はHE-SIG中のDurationを用いることにより、アップリンクサブフレームをより良好に保護することができる。
【０１７６】
STAが現在のフレームがアップリンクサブフレームであるかダウンリンクサブフレームであるかを区別する必要がある場合、区別する方法は、L-LengthとHE-Lengthの長さを比較することである。例えば、両者が等しいか近似している場合は、現在のフレームがアップリンクサブフレームであると判定され、両者が等しくないか有意に異なる場合は、現在のフレームはダウンリンクサブフレームであると判定される。
【図１】
0006479033.tif 000004
【図２】
0006479033.tif 000005
【図３】
0006479033.tif 000006
【図４】
0006479033.tif 000007
【図５】
0006479033.tif 000008
【図６】
0006479033.tif 000009
【図７】
0006479033.tif 000010
【図８】
0006479033.tif 000011
【図８ａ】
0006479033.tif 000012
【図８ｂ】
0006479033.tif 000013
【図８ｃ】
0006479033.tif 000014
【図９】
0006479033.tif 000015
【図１０】
0006479033.tif 000016
【図１１】
0006479033.tif 000017
【図１２】
0006479033.tif 000018